(57)【要約】【課題】プラグの脱落防止、または、コードの断線防止のうち、ユーザがより防止したい方を選択可能とする。【解決手段】壁埋込形子機２０のコンセント２１の外側に可撓部材で形成された可撓部材２２と係止する係止部１５をナースコール子機１０のプラグ１１に形成する。また、可撓部材２２の外側に設けられた第２のねじ部２３と螺止するように、第１のねじ部１３をプラグ１１に回転可能に嵌合し、かつプラグ１１の長手方向に前後移動を可能に構成する。このように構成することで、第１のねじ部１３を第２のねじ部２３に螺止しない場合には、プラグ１１に対して矢印Ｂの方向に所定の引っ張り力が加わるとプラグ１１がコンセント２１から外れてコード１２の断線を防止することができるようにし、第１のねじ部１３を第２のねじ部２３に螺止した場合には、プラグ１１が第１のねじ部１３に引っかかってコンセント２１から抜けないようにしてプラグ１１の脱落を防止できるようにする。【選択図】        図１
2008140744.tif 000002
【特許請求の範囲】
【請求項１】
壁埋込形子機が有するコンセントと接続可能に成されたプラグを有するナースコール子機において、
上記コンセントの外側に形成された可撓部材と係止するように上記プラグに形成された係止部と、
上記可撓部材の外側に設けられたねじと螺止するように上記プラグに回転可能に嵌合されたねじ部とを備え、
上記ねじ部は、上記プラグの長手方向に前後移動を可能に構成したことを特徴とするナースコール子機。
【請求項２】
上記ねじ部の上記プラグの先端方向への移動を制限するように上記プラグに形成されたストッパを備えたことを特徴とする請求項１に記載のナースコール子機。
【請求項３】
ナースコール子機が有するプラグと接続可能に成されたコンセントを有する壁埋込形子機において、
上記プラグに形成された係止部と係止するように上記コンセントの外側に形成された可撓部材と、
上記プラグに回転可能に嵌合されたねじ部と螺止するように上記可撓部材の外側に設けられたねじとを備えたことを特徴とする壁埋込形子機。
【請求項４】
コンセントと、
上記コンセントの外側に形成された可撓部材と、
上記可撓部材の外側に設けられたねじと、
上記コンセントに接続可能に成されたプラグと、
上記可撓部材と係止するように上記プラグに形成された係止部と、
上記ねじと螺止するように上記プラグに回転可能に嵌合するとともに上記プラグの長手方向に前後移動を可能に構成したねじ部とを備えたことを特徴とするコンセントとプラグとの接続構造。
【発明の詳細な説明】
【技術分野】
【０００１】
本発明は、ナースコール子機、壁埋込形子機、およびコンセントとプラグとの接続構造に関し、特に、壁面のコンセントにプラグを接続して使用するように成された機器の接続構造に関するものである。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、単に「患者」と言う）が呼出ボタン等を押下することによって看護師や介護師（以下、単に「看護師」と言う）を呼び出すことができるように成されたシステムである。
【０００３】
多くのナースコールシステムは、病室のベッドサイドなどに設置するハンド形子機や握り押しボタン等のナースコール子機を備えて構成されている。病室の各患者のベッドサイドの壁には壁埋込形子機が埋め込み設置されていて、ナースコール子機のプラグはこの壁埋込形子機が備えているコンセントに接続される。
【０００４】
ところで、ナースコール子機は、そのコードをベッドの柵に括り付けて使用される場合がある。この状態でベッドを移動すると、ナースコール子機も一緒に移動してナースコール子機のコードが引っ張られる状態となる。このとき、ナースコール子機のプラグが壁埋込形子機のコンセントに強固に接続されていると、コードが断線してしまうという問題があった。これに対して、ある程度の引っ張り力をかけると、ナースコール子機のプラグが壁埋込形子機のコンセントから脱落するように成された技術が提供されている（例えば、特許文献１参照）。
【特許文献１】特開２００２−１５８０６３号公報
【発明の開示】
【発明が解決しようとする課題】
【０００５】
しかしながら、壁埋込形子機のコンセントとナースコール子機のプラグとの接続が弱く、コードが引っ張られたときに壁埋込形子機のコンセントからナースコール子機のプラグがあまりにも簡単に脱落してしまうと、看護師への呼び出しを行うことができなくなってしまう。
【０００６】
なお、プラグの脱落を報知する技術も知られているが、ナースコール子機のプラグが壁埋込形子機のコンセントから簡単に脱落してしまうと、そのようなケースが頻発し、そのたびに看護師が対応しなくてはならなくなり、他の業務に支障をきたすという問題がある。
【０００７】
本発明は、このような問題を解決するために成されたものであり、プラグの脱落防止、または、コードの断線防止のうち、ユーザがより防止したい方を選択してプラグをコンセントに接続できるようにすることを目的とする。
【課題を解決するための手段】
【０００８】
上記した課題を解決するために、本発明では、コンセントの外側に形成された可撓部材と係止する係止部をプラグに形成する。また、可撓部材の外側に設けられたねじと螺止するねじ部を、上記プラグに回転可能かつ上記プラグの長手方向に前後移動を可能に嵌合する。
【発明の効果】
【０００９】
上記のように構成した本発明によれば、コードの断線の防止を優先する場合には、ねじ部を使用せず、可撓部材と係止部との係止のみを利用してプラグをコンセントに接続すれば、所定の引っ張り力が加わったときに可撓部材と係止部との係止が外れ、コードの断線を防止することができる。また、プラグの脱落の防止を優先する場合には、ねじ部も使用してプラグをコンセントに接続することで、プラグとコンセントとの接続を強固にすることができ、脱落を防止することができる。このように、ユーザは、自身がより防止を望む方を選択することができるようになる。
【発明を実施するための最良の形態】
【００１０】
以下、本発明の一実施形態を図面に基づいて説明する。図１は、本実施形態によるナースコール子機１０と壁埋込形子機２０との接続構造の例を示す図である。なお、ここでは病院に設置されるナースコール子機１０と壁埋込形子機２０とを例にとって説明するが、本実施形態のナースコール子機１０および壁埋込形子機２０は、病院に設置されるものに限定されない。例えば、介護施設等に設置される場合にも適用可能である。
【００１１】
図１に示すように、ナースコール子機１０は、プラグ１１、コード１２および第１のねじ部１３（本発明のねじ部に相当）を備えている。また、壁埋込形子機２０は、例えば患者のベッドサイドに設置されるものであり、コンセント２１、可撓部材２２および第２のねじ部２３を備えている。ナースコール子機１０のプラグ１１は、壁埋込形子機２０のコンセント２１に接続される。コード１２は、例えば、ユーザによってベッドの柵に括り付けられる。
【００１２】
プラグ１１の先端には、壁埋込形子機２０に備えられた可撓部材２２と係止するように形成された係止部１５が設けられている。係止部１５および可撓部材２２は、例えば、直角に曲がった形（鉤状）を有しており、互いにかみ合うよう形成されている。
【００１３】
可撓部材２２は、コンセント２１の外側に可撓性を有する部材で形成される。部材は曲げ撓むことが可能であればよく、例えば、プラスチックやエラストマー素材（合成ゴム、合成樹脂エラストマ、ポリウレタン樹脂エラストマ、シリコーン樹脂エラストマなど）等を用いる。プラグ１１の先端をコンセント２１に差し込むとき、差し込みの途中では、可撓部材２２が係止部１５に押されて外側に広がる。プラグ１１をコンセント２１に完全に差し込むと、外側に広げられていた可撓部材２２が元の状態に戻り、係止部１５と係止する。
【００１４】
第２のねじ部２３は、壁埋込形子機２０の可撓部材２２の外側に設けられている。第２のねじ部２３は、例えば内側にらせん状の溝が切られた雌ねじ２４（本発明のねじに相当）を有している。第１のねじ部１３は、プラグ１１に対してプラグ１１の円周方向に回転可能に嵌合されている。第１のねじ部１３は、雌ねじ２４と螺止するよう外側にらせん状の溝が切られた雄ねじ１４を有している。また、第１のねじ部１３は、プラグ１１の長手方向（図１中の矢印ＡＢ方向）に前後移動が可能である。プラグ１１をコンセント２１に差し込み（係止部１５と可撓部材２２とを係止させた状態）、第１のねじ部１３を矢印Ａの方向に移動させて円周方向に回転させることにより、雄ねじ１４と雌ねじ２４とを螺止させることができる。
【００１５】
プラグ１１の円周部にはストッパ１６が形成されている。ストッパ１６は、第１のねじ部１３のプラグ１１の先端方向（図１中の矢印Ａ方向）への移動を制限するように、例えば凸状に形成する。このストッパ１６は、第１のねじ部１３がプラグ１１の先端側から外れないようにする役割、別な言い方をすると、プラグ１１が第１のねじ部１３から抜けないようにする役割を持っている。
【００１６】
なお、ストッパ１６の位置をプラグ１１の先端からあまりにも離れた位置に形成すると、第１のねじ部１３の矢印Ａ方向への移動の制限により、雄ねじ１４と雌ねじ２４とを螺止することができなくなる。このため、ストッパ１６の位置は、プラグ１１をコンセント２１に接続したときに雄ねじ１４と雌ねじ２４とが螺止可能な位置に形成することが必要である。
【００１７】
次に、本実施形態のナースコール子機１０と壁埋込形子機２０の作用について説明する。コード１２の断線の防止を優先する場合について説明する。まず、ユーザは、コンセント２１にプラグ１１を差し込む。このとき、壁埋込形子機２０の可撓部材２２にプラグ１１の係止部１５が係止する。可撓部材２２は可撓性を有する部材で形成されているため、プラグ１１に対して矢印Ｂ方向に所定の引っ張り力が加わると、係止部１５と可撓部材２２との係止が外れやすくなる。
【００１８】
係止部１５と可撓部材２２との係止が外れると、これに伴ってプラグ１１もコンセント２１から外れる。これにより、コード１２の断線を防止することができる。なお、コード１２の断線の防止を優先する場合には、第1のねじ部１３および第２のねじ部２３は使用しない。第１のねじ部１３は矢印ＡＢ方向への移動を可能に構成されているため、使用しないときは矢印Ｂ側に移動させておくことができる。ここで、コード１２の矢印Ｂ方向の先端側には、ナースコール子機１０の筐体が設けられているので、第１のねじ部１３が外れることはない。
【００１９】
次に、プラグ１１の脱落の防止を優先する場合について説明する。まず、ユーザは、コンセント２１にプラグ１１を差し込む。このとき、壁埋込形子機２０の可撓部材２２にプラグ１１の係止部１５が係止する。続いて、ユーザは、ナースコール子機１０の第１のねじ部１３を矢印Ａ方向に移動して円周方向に回転させることにより、壁埋込形子機２０の雌ねじ２４にナースコール子機１０の雄ねじ１４を螺止する。これにより、矢印Ｂ方向にコード１２が引っ張られて所定の引っ張り力が加わっても、コンセント２１からプラグ１１が外れる前に、プラグ１１のストッパ１６が第１のねじ部１３に引っかかり、プラグ１１がコンセント２１から脱落することを防止できる。
【００２０】
以上詳しく説明したように、本実施形態では、コード１２の断線をより防止したい場合には、第１のねじ部１３と第２のねじ部２３とを使用せず、係止部１５と可撓部材２２との係止のみを行ってプラグ１１がコンセント２１から容易には脱落しないようにしておく。そして、可撓部材２２は可撓部材で形成されているため、プラグ１１に対して矢印Ｂの方向に所定の引っ張り力が加わった場合には、係止部１５と可撓部材２２との係止が外れる。したがって、コード１２が断線する前にプラグ１１がコンセント２１から脱落するため、コード１２の断線を防止することができる。
【００２１】
また、プラグ１１の脱落をより防止したい場合は、係止部１５と可撓部材２２とを係止し、かつ、第１のねじ部１３の雄ねじ１４と第２のねじ部２３の雌ねじ２４とを螺止する。これにより、プラグ１１に対して矢印Ｂ方向に引っ張り力が加わった場合には、プラグ１１のストッパ１６が第１のねじ部１３に引っかかるため、プラグ１１はコンセント２１から抜けることがなく、プラグ１１の脱落を防止することができる。
【００２２】
このように、プラグ１１の脱落防止、または、コード１２の断線防止のうち、ユーザ自身がより防止をしたい方を選択して、プラグ１１をコンセント２１に接続することができるようになる。
【００２３】
なお、第１のねじ部１３および第２のねじ部２３の説明において、第１のねじ部１３は外側にらせん状の溝が切られていて、第２のねじ部２３は内側に溝が切られているとして説明したが、溝の切り方を反対としてもよい。図２は、溝の切り方を反対とした場合のナースコール子機１０と壁埋込形子機２０との接続構造の例を示す図である。図２において、第１のねじ１３には内側に溝を切っており、第２のねじ部２３には外側に溝を切っている。
【００２４】
なお、上記実施形態ではナースコール子機１０のプラグ１１と壁埋込形子機２０のコンセント２１との接続構造について説明したが、これに限定することなくプラグとコンセントとの接続構造全般に適用可能である。
【００２５】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００２６】
【図１】本実施形態によるナースコール子機と壁埋込形子機との接続構造の例を示す図である。
【図２】溝の切り方を反対とした場合のナースコール子機と壁埋込形子機との接続構造の例を示す図である。
【符号の説明】
【００２７】
１０  ナースコール子機
１１  プラグ
１２  コード
１３  第１のねじ部
１４  雄ねじ
１５  係止部
１６  ストッパ
２０  壁埋込形子機
２１  コンセント
２２  可撓部材
２３  第２のねじ部
２４  雌ねじ
【図１】
2008140744.tif 000003
【図２】
2008140744.tif 000004